【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
ＭＰＥＧ（Moving Picture Experts Group）方式により圧縮符号化された映像データを、１以上のＧＯＰ（Group of Pictures）を含む所定のデータ単位毎にデコーダに供給して復号を行い映像を再生する映像再生方法において、再生のモードが切り換わったときに、切り換え後のモードにおいて最初に復号すべきピクチャが含まれるデータ単位を、切り換え前のモードにおいて最後に再生されていたピクチャであるモード切換前ピクチャの情報に基づいて特定すること
を特徴とする映像再生方法。
【請求項２】
上記モード切換前ピクチャの情報として、
モード切換前ピクチャのテンポラル・リファレンスと、
モード切換前ピクチャが含まれるＧＯＰの先頭のＩピクチャ（Intra Picture）のＤＴＳ（Decoding Time Stamp）と、
モード切換前ピクチャが、データ単位に含まれるピクチャのデータだけで復号できるピクチャのうち、最も早く表示されるピクチャであるか否かを示す情報と、
モード切換前ピクチャが、復号する際に異なるデータ単位のピクチャが必要であるか否かを示す情報とを用いること
を特徴とする請求項１記載の映像再生方法。
【請求項３】
切り換え後のモードが、通常再生、順方向低速再生又は順方向コマ送り再生の場合には、
モード切換前ピクチャが、復号する際に異なるデータ単位のピクチャが必要なピクチャでないならば、モード切換前ピクチャを含むデータ単位を、切り換え後のモードにおいて最初に復号すべきピクチャが含まれるデータ単位として特定し、
モード切換前ピクチャが、復号する際に異なるデータ単位のピクチャが必要なピクチャであるならば、モード切換前ピクチャを含むデータ単位の前のデータ単位を、切り換え後のモードにおいて最初に復号すべきピクチャが含まれるデータ単位として特定すること
を特徴とする請求項１記載の映像再生方法。
【請求項４】
切り換え後のモードが、逆方向再生、逆方向低速再生、又は逆方向コマ送り再生の場合には、
モード切換前ピクチャが、データ単位に含まれるピクチャのデータだけで復号できるピクチャのうち最も早く表示されるピクチャではなく、且つ、復号する際に異なるデータ単位のピクチャが必要なピクチャでもないならば、モード切換前ピクチャを含むデータ単位を、切り換え後のモードにおいて最初に復号すべきピクチャが含まれるデータ単位として特定し、
モード切換前ピクチャが、データ単位に含まれるピクチャのデータだけで復号できるピクチャのうち最も早く表示されるピクチャであるか、又は、復号する際に異なるデータ単位のピクチャが必要なピクチャであるならば、モード切換前ピクチャを含むデータ単位の前のデータ単位を、切り換え後のモードにおいて最初に復号すべきピクチャが含まれるデータ単位として特定すること
を特徴とする請求項１記載の映像再生方法。
【請求項５】
切り換え後のモードが順方向早送り再生の場合には、
モード切換前ピクチャを含むデータ単位の次のデータ単位を、切り換え後のモードにおいて最初に復号すべきピクチャが含まれるデータ単位として特定すること
を特徴とする請求項１記載の映像再生方法。
【請求項６】
切り換え後のモードが逆方向早送り再生の場合には、
モード切換前ピクチャを含むデータ単位の前のデータ単位を、切り換え後のモードにおいて最初に復号すべきピクチャが含まれるデータ単位として特定すること
を特徴とする請求項１記載の映像再生方法。
【請求項７】
ＭＰＥＧ（Moving Picture Experts Group）方式により圧縮符号化された映像データを復号して映像を再生する映像再生装置において、
１以上のＧＯＰ（Group of Pictures）を含む所定のデータ単位毎に映像データが供給されるデコーダを備え、
再生のモードが切り換わったときに、切り換え前のモードにおいて最後に再生されていたピクチャであるモード切換前ピクチャの情報に基づいて特定されたデータ単位が、上記デコーダに最初に供給されること
を特徴とする映像再生装置。
【請求項８】
上記モード切換前ピクチャの情報として、
モード切換前ピクチャのテンポラル・リファレンスと、
モード切換前ピクチャが含まれるＧＯＰの先頭のＩピクチャ（Intra Picture）のＤＴＳ（Decoding Time Stamp）と、
モード切換前ピクチャが、データ単位に含まれるピクチャのデータだけで復号できるピクチャのうち、最も早く表示されるピクチャであるか否かを示す情報と、
モード切換前ピクチャが、復号する際に異なるデータ単位のピクチャが必要であるか否かを示す情報と
を用いることを特徴とする請求項７記載の映像再生装置。
【請求項９】
切り換え後のモードが、通常再生、順方向低速再生又は順方向コマ送り再生の場合には、
モード切換前ピクチャが復号する際に異なるデータ単位のピクチャが必要なピクチャでないならば、モード切換前ピクチャを含むデータ単位が、再生のモードが切り換わったときに上記デコーダに最初に供給され、
モード切換前ピクチャが復号する際に異なるデータ単位のピクチャが必要なピクチャであるならば、モード切換前ピクチャを含むデータ単位の前のデータ単位が、再生のモードが切り換わったときに上記デコーダに最初に供給されること
を特徴とする請求項７記載の映像再生装置。
【請求項１０】
切り換え後のモードが、逆方向再生、逆方向低速再生又は逆方向コマ送り再生の場合には、
モード切換前ピクチャが、データ単位に含まれるピクチャのデータだけで復号できるピクチャのうち最も早く表示されるピクチャではなく、且つ復号する際に異なるデータ単位のピクチャが必要なピクチャでもないならば、モード切換前ピクチャを含むデータ単位が、再生のモードが切り換わったときに上記デコーダに最初に供給され、
モード切換前ピクチャが、データ単位に含まれるピクチャのデータだけで復号できるピクチャのうち最も早く表示されるピクチャであるか、又は復号する際に異なるデータ単位のピクチャが必要なピクチャであるならば、モード切換前ピクチャを含むデータ単位の前のデータ単位が、再生のモードが切り換わったときに上記デコーダに最初に供給されること
を特徴とする請求項７記載の映像再生装置。
【請求項１１】
切り換え後のモードが順方向早送り再生の場合には、
モード切換前ピクチャを含むデータ単位の次のデータ単位が、再生のモードが切り換わったときに上記デコーダに最初に供給されること
を特徴とする請求項７記載の映像再生装置。
【請求項１２】
切り換え後のモードが逆方向早送り再生の場合には、
モード切換前ピクチャを含むデータ単位の前のデータ単位が、再生のモードが切り換わったときに上記デコーダに最初に供給されること
を特徴とする請求項７記載の映像再生装置。
【手続補正２】
【補正対象書類名】明細書
【補正対象項目名】００２０
【補正方法】変更
【補正の内容】
【００２０】
また、切り換え後のモードが、逆方向再生、逆方向低速再生、又は逆方向コマ送り再生の場合には、例えば、モード切換前ピクチャがデータ単位に含まれるピクチャのデータだけで復号できるピクチャのうち最も早く表示されるピクチャではなく、且つ復号する際に異なるデータ単位のピクチャが必要なピクチャでもないならば、モード切換前ピクチャを含むデータ単位を、切り換え後のモードにおいて最初に復号すべきピクチャが含まれるデータ単位として特定し、また、モード切換前ピクチャがデータ単位に含まれるピクチャのデータだけで復号できるピクチャのうち最も早く表示されるピクチャであるか、又は復号する際に異なるデータ単位のピクチャが必要なピクチャであるならば、モード切換前ピクチャを含むデータ単位の前のデータ単位を、切り換え後のモードにおいて最初に復号すべきピクチャが含まれるデータ単位として特定する。


【手続補正３】
【補正対象書類名】明細書
【補正対象項目名】００５７
【補正方法】変更
【補正の内容】
【００５７】
本実施の形態では、再生のモードとして、Ｐｌａｙ、Ｐａｕｓｅ、ＰｌａｙＲ、ＳｔｅｐＲ、ＳｌｏｗＲ、ＳｔｅｐＦ、ＳｌｏｗＦ、ＦＦ、ＦＲを挙げ、それらのモードを切り換えたときの処理について説明する。そして、このように再生のモードを切り換えたときに、切り換え前のモードにおいて再生されていた最後のピクチャのことを「モード切換前ピクチャ」と称し、切り換え後のモードにおいて最初に表示するピクチャのことを「表示開始ピクチャ」と称する。


【手続補正４】
【補正対象書類名】明細書
【補正対象項目名】００７５
【補正方法】変更
【補正の内容】
【００７５】
一方、ステップＳ１−７において、コントローラ１１は、切り換え後のモードが、ＰｌａｙＲ、ＳｌｏｗＲ、又はＳｔｅｐＲであるか否かを判別する。そして、ＰｌａｙＲ、ＳｌｏｗＲ、又はＳｔｅｐＲならばステップＳ１−８に進み、ＰｌａｙＲ、ＳｌｏｗＲ、又はＳｔｅｐＲでないならばステップＳ１−１１に進む。


【手続補正５】
【補正対象書類名】明細書
【補正対象項目名】００７８
【補正方法】変更
【補正の内容】
【００７８】
すなわち、切り換え後のモードが、ＰｌａｙＲ、ＳｌｏｗＲ、又はＳｔｅｐＲであり、モード切換前ピクチャがＦＰＰやＰＲＥ＿ＦＰＰでないならば、モード切換前ピクチャを含むＶＯＢＵを、切り換え後のモードにおいて最初に復号すべきピクチャが含まれるＶＯＢＵとして特定する。また、切り換え後のモードが、ＰｌａｙＲ、ＳｌｏｗＲ、又はＳｔｅｐＲであり、モード切換前ピクチャがＦＰＰ又はＰＲＥ＿ＦＰＰであるならば、モード切換前ピクチャを含むＶＯＢＵの前のＶＯＢＵを、切り換え後のモードにおいて最初に復号すべきピクチャが含まれるＶＯＢＵとして特定する。


【手続補正６】
【補正対象書類名】明細書
【補正対象項目名】００７９
【補正方法】変更
【補正の内容】
【００７９】
一方、ステップＳ１−１１において、コントローラ１１は、ステップＳ１−１でメモリ１３に記憶させた情報に基づいて、切り換え後のモードがＦＦであるか否かを判別する。そして、ＦＦであるならばステップＳ１−１２に進み、ＦＦでないならばステップＳ１−１３に進む。なお、ステップＳ１−１３に進むのは、切り換え後のモードが、Ｐｌａｙ系モード、ＰｌａｙＲ、ＳｌｏｗＲ、ＳｔｅｐＲ、ＦＦのいずれでもない場合、すなわちＦＲの場合である。


【手続補正７】
【補正対象書類名】明細書
【補正対象項目名】０１０９
【補正方法】変更
【補正の内容】
【０１０９】
ステップＳ３−１０において、コントローラ１１は、切り換え後のモードが、ＰｌａｙＲ、ＳｔｅｐＲ、又はＳｌｏｗＲであるか否かを判別する。そして、ＰｌａｙＲ、ＳｔｅｐＲ、又はＳｌｏｗＲならばステップＳ３−１１に進み、ＰｌａｙＲ、ＳｔｅｐＲ、又はＳｌｏｗＲでないならばステップＳ３−１３に進む。


【手続補正８】
【補正対象書類名】明細書
【補正対象項目名】０１１１
【補正方法】変更
【補正の内容】
【０１１１】
次に、ステップＳ３−１２において、図８及び図９に示すＧｏＴｏＴａｒｇｅｔ処理を行う。そして、ＧｏＴｏＴａｒｇｅｔ処理によって、ターゲットとなるピクチャにたどり着いたら、当該ピクチャからＰｌａｙＲ、ＳｔｅｐＲ、又はＳｌｏｗＲを開始する。


【手続補正９】
【補正対象書類名】明細書
【補正対象項目名】０１１２
【補正方法】変更
【補正の内容】
【０１１２】
ステップＳ３−１３において、コントローラ１１は、切り換え後のモードがＦＦであるか否かを判別する。そして、切り換え後のモードがＦＦならば、ＦＦを開始する。一方、切り換え後のモードがＦＦでないときは、切り換え後のモードがＰｌａｙ系モード、ＰｌａｙＲ、ＳｌｏｗＲ、ＳｔｅｐＲ、ＦＦのいずれでもない場合、すなわちＦＲのときであるので、ＦＲを開始する。なお、切り換え後のモードがＦＦ及びＦＲのときにＧｏＴｏＴａｒｇｅｔ処理を行わないのは、ＦＦ及びＦＲでは、常にＶＯＢＵの先頭から復号するので、ピクチャ単位でのターゲットの特定が不要だからである。


【手続補正１０】
【補正対象書類名】明細書
【補正対象項目名】０１１３
【補正方法】変更
【補正の内容】
【０１１３】
なお、以上のような再生モード分岐処理のステップＳ３−７乃至Ｓ３−９において、ＳｔｅｐＦとＳｌｏｗＦをまとめて扱っているのは、ＳｌｏｗＦ及びＳｔｅｐＦでの処理はどちらも順方向に１コマずつ再生していく処理であり、映像データをデコーディングオーダーにて復号してプレゼンテーションオーダーにて表示するという観点においては、これらのモードでは基本的に同じ処理が行われるからである。同様に、ステップＳ３−１０乃至Ｓ３−１２において、ＰｌａｙＲとＳｔｅｐＲとＳｌｏｗＲをまとめて扱っているのは、ＰｌａｙＲ、ＳｌｏｗＲ、及びＳｔｅｐＲでの処理はどちらも逆方向に１コマずつ再生していく処理であり、映像データをデコーディングオーダーにて復号してプレゼンテーションオーダーにて表示するという観点においては、これらのモードでは基本的に同じ処理が行われるからである。


【手続補正１１】
【補正対象書類名】図面
【補正対象項目名】図４
【補正方法】変更
【補正の内容】
【図４】
1998271459.tif 000001